(57)【要約】【課題】軽量化及び小型化を妨げることなく、自装置が屋内に存在するか屋外に存在するかを判定することができる通信装置を提供すること。【解決手段】本発明にかかる通信装置１０は、他の通信装置が屋内に存在するか屋外に存在するか否かに応じて変化する情報であって、他の通信装置において検出された検出情報及び他の通信装置において管理されているユーザのスケジュール情報の少なくとも一方を近距離無線通信によって取得する通信部１１と、取得した検出情報及び前記スケジュール情報の少なくとも一方を用いて自装置が屋内に存在するかもしくは屋外に存在するかを判定する判定部１２と、判定部１２において自装置が屋外に存在すると判定された場合、屋内でのみ使用が許可されている周波数帯の電波の出力を停止する周波数制御部１３と、を備える。【選択図】図１
2016025526.tif 000002
【特許請求の範囲】
【請求項１】
他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得する通信部と、
取得した前記検出情報及び前記スケジュール情報の少なくとも一方を用いて自装置が屋内に存在するかもしくは屋外に存在するかを判定する判定部と、
前記判定部において自装置が屋外に存在すると判定された場合、屋内でのみ使用が許可されている周波数帯の電波の出力を停止する周波数制御部と、を備える通信装置。
【請求項２】
前記判定部は、
前記検出情報と、予め定められた閾値とを比較した結果に応じて、自装置が屋内に存在するかもしくは屋外に存在するかを判定する、請求項１に記載の通信装置。
【請求項３】
前記判定部は、
前記検出情報である照度情報と、予め定められた閾値とを比較した結果に応じて、自装置が屋内に存在するかもしくは屋外に存在するかを判定する、請求項1又は２に記載の通信装置。
【請求項４】
前記判定部は、
前記照度情報と、時間の経過とともに変化する閾値とを比較した結果に応じて、自装置が屋内に存在するかもしくは屋外に存在するかを判定する、請求項３に記載の通信装置。
【請求項５】
前記時間の経過とともに変化する閾値は、さらに天気情報に応じて変化する、請求項４に記載の通信装置。
【請求項６】
前記判定部は、
前記他の通信装置から近距離無線通信によって取得した前記スケジュール情報に示される現在時刻における前記ユーザの行動情報を用いて自装置が屋内に存在するか屋外に存在するかを判定する、請求項１に記載の通信装置。
【請求項７】
前記通信部は、
前記他の通信装置と接触した際に、前記他の通信装置から出力された前記検出情報及び前記スケジュール情報の少なくとも一方を取得する、請求項１乃至６のいずれか１項に記載の通信装置。
【請求項８】
屋内に存在するか屋外に存在するか否かに応じて変化する検出情報及びユーザのスケジュール情報の少なくとも一方を保持する第１の通信装置と、
前記検出情報及び前記スケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定した場合、屋内でのみ使用が許可されている周波数帯の電波の出力を停止する第２の通信装置とを備える通信システム。
【請求項９】
他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、
取得した前記検出情報及び前記スケジュール情報の少なくとも一方を用いて自装置が屋内に存在するかもしくは屋外に存在するかを判定し、
自装置が屋外に存在すると判定された場合、屋内でのみ使用が許可されている周波数帯の電波の出力を停止する出力電波制御方法。
【請求項１０】
他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、
取得した前記検出情報及び前記スケジュール情報の少なくとも一方を用いて自装置が屋内に存在するかもしくは屋外に存在するかを判定し、
自装置が屋外に存在すると判定された場合、屋内でのみ使用が許可されている周波数帯の電波の出力を停止することをコンピュータに実行させるプログラム。
【発明の詳細な説明】
【技術分野】
【０００１】
本発明は通信装置、通信システム、出力電波制御方法及びプログラムに関し、例えば複数の周波数帯における通信を行う通信装置、通信システム、出力電波制御方法及びプログラムに関する。
【背景技術】
【０００２】
近年、インターネット等のネットワークに接続する手段として、無線ＬＡＮ（Local Area Network）が広く普及している。また、無線ＬＡＮは、屋内における無線ＬＡＮ親機と無線ＬＡＮ子機との間においてのみ使用されるだけではない。例えば、ユーザが無線ＬＡＮ装置を持ち歩く場合、無線ＬＡＮが、屋外において使用される場合もある。また、無線ＬＡＮにおいては、一般的に２．４ＧＨｚ帯及び５ＧＨｚ帯と称される周波数帯域の電波が用いられる。
【０００３】
無線ＬＡＮ通信を行う際に、２．４ＧＨｚ帯の周波数帯域の電波は、特に使用制限は設けられていない。一方、５ＧＨｚ帯の周波数帯域の一部の電波は、電波法において屋外における使用を規制されている。そのため、無線ＬＡＮ通信を行うユーザは、屋内及び屋外において使用する電波の周波数帯域を変更する必要がある。
【０００４】
例えば、特許文献１には、カメラを用いて撮影した画像を用いて、現在位置が屋内であるか屋外であるかを判定する無線ＬＡＮ装置の構成が開示されている。特許文献１における無線ＬＡＮ装置は、無線ＬＡＮ装置の上部を撮影し、撮影した画像に天井が移っているか否かに応じて、無線ＬＡＮ装置が屋内に存在するか屋外に存在するかを判定する。
【先行技術文献】
【特許文献】
【０００５】
【特許文献１】特開２０１２−１２００６０号公報
【発明の概要】
【発明が解決しようとする課題】
【０００６】
特許文献１の無線ＬＡＮ装置は、自装置が屋内に存在するか屋外に存在するかを判定するために、自装置に搭載されたカメラを用いて上部を撮影する必要がある。しかし、屋外において無線ＬＡＮ通信を行うために持ち運ぶモバイルルータ等については、軽量化及び小型化が求められている。そのため、モバイルルータにカメラを搭載することによって、モバイルルータの軽量化及び小型化が妨げられるという問題がある。
【０００７】
本発明の目的は、軽量化及び小型化を妨げることなく、自装置が屋内に存在するか屋外に存在するかを判定することができる通信装置、通信システム、出力電波制御方法及びプログラムを提供することにある。
【課題を解決するための手段】
【０００８】
本発明の第１の態様にかかる通信装置は、他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得する通信部と、取得した前記検出情報及び前記スケジュール情報の少なくとも一方を用いて自装置が屋内に存在するかもしくは屋外に存在するかを判定する判定部と、前記判定部において自装置が屋外に存在すると判定された場合、屋内でのみ使用が許可されている周波数帯の電波の出力を停止する周波数制御部と、を備えるものである。
【０００９】
本発明の第２の態様にかかる通信システムは、屋内に存在するか屋外に存在するか否かに応じて変化する検出情報及びユーザのスケジュール情報の少なくとも一方を保持する第１の通信装置と、前記検出情報及び前記スケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定した場合、屋内でのみ使用が許可されている周波数帯の電波の出力を停止する第２の通信装置とを備えるものである。
【００１０】
本発明の第３の態様にかかる出力電波制御方法は、他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定された場合、屋内でのみ使用が許可されている周波数帯の電波の出力を停止するものである。
【００１１】
本発明の第４の態様にかかるプログラムは、他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定された場合、屋内でのみ使用が許可されている周波数帯の電波の出力を停止することをコンピュータに実行させるものである。
【発明の効果】
【００１２】
本発明により、軽量化及び小型化を妨げることなく、自装置が屋内に存在するか屋外に存在するかを判定することができる通信装置、通信システム、出力電波制御方法及びプログラムを提供することができる。
【図面の簡単な説明】
【００１３】
【図１】実施の形態１にかかる通信装置の構成図である。
【図２】実施の形態２にかかる通信システムの構成図である。
【図３】実施の形態２にかかるスマートフォンの構成図である。
【図４】実施の形態２にかかるモバイルルータの構成図である。
【図５】実施の形態２にかかるスマートフォンにおける照度情報の送信処理の流れを示す図である。
【図６】実施の形態２にかかるモバイルルータにおける周波数制御処理の流れを示す図である。
【図７】実施の形態３にかかるモバイルルータの構成図である。
【図８】実施の形態３にかかるスマートフォンにおける照度情報の送信処理の流れを示す図である。
【図９】実施の形態３にかかるモバイルルータにおける周波数制御処理の流れを示す図である。
【発明を実施するための形態】
【００１４】
（実施の形態１）
以下、図面を参照して本発明の実施の形態について説明する。はじめに、図１を用いて本発明の実施の形態１にかかる通信装置の構成例について説明する。
【００１５】
通信装置１０は、ＣＰＵ(Central Processing Unit)がメモリに格納されているプログラムを実行することによって各種機能を動作させるコンピュータ装置であってもよい。さらに、通信装置１０は、無線ＬＡＮ通信機能を有する装置である。例えば、通信装置１０は、モバイルルータ端末であってもよく、スマートフォン等を含む携帯電話端末であってもよい。
【００１６】
通信装置１０は、通信部１１、判定部１２及び周波数制御部１３を有している。通信部１１は、他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得する
【００１７】
他の通信装置は、例えば、スマートフォン等を含む携帯電話端末であってもよい。屋内に存在するか屋外に存在するか否かに応じて変化する情報は、周囲の環境の変化に応じて検出されるセンサ情報であってもよい。センサ情報は、例えば、周囲の明るさを示す照度情報もしくは周囲の温度を示す温度情報等であってもよい。センサ情報は、他の通信装置に搭載されているセンサを用いて検出される。ユーザのスケジュール情報は、ユーザの行動予定が示されている情報であってもよい。行動予定は、例えば、行先情報、出張先情報、会議情報等が予定時刻と関連付けられて管理されている情報であってもよい。
【００１８】
近距離無線通信は、通信装置１０と他の通信装置とが近づいたとき、もしくは、通信装置１０と他の通信装置とが接触したときに、無線を介して行われる通信である。近距離無線通信は、例えば、ＮＦＣ（Near Field Communication）通信、Ｚｉｇｂｅｅ（登録商標）、Ｂｌｕｅｔｏｏｔｈ（登録商標）等であってもよい。
【００１９】
判定部１２は、検出情報及びスケジュール情報の少なくとも一方を用いて自装置が屋内に存在するかもしくは屋外に存在するかを判定する。判定部１２は、例えば、他の通信装置から送信された検出情報と、予め定められた閾値とを比較することによって、自装置が屋内に存在するかもしくは屋外に存在するかを判定してもよい。もしくは、判定部１２は、現在の時刻におけるユーザの行動予定を用いて、自装置が屋内に存在するかもしくは屋外に存在するかを判定してもよい。
【００２０】
周波数制御部１３は、判定部１２において自装置が屋外に存在すると判定された場合、屋内でのみ使用が許可されている周波数の電波の出力を停止する。例えば、屋内でのみ使用が許可されている周波数は、無線ＬＡＮにおいて用いられる周波数であって、５ＧＨｚ帯の一部の周波数であってもよい。また、屋内及び屋外において使用さが許可されている周波数は、無線ＬＡＮにおいて用いられる周波数であって、２．４ＧＨｚ帯の周波数であってもよい。
【００２１】
例えば、周波数制御部１３は、自装置が５ＧＨｚ帯の周波数を用いて無線ＬＡＮ通信を行っている場合に、判定部１２において自装置が屋外に存在すると判定されたとする。この場合、周波数制御部１３は、５ＧＨｚ帯の電波の出力を停止し、２．４ＧＨｚ帯の電波を出力してもよい。また、周波数制御部１３は、自装置が２．４ＧＨｚ帯の周波数を用いて無線ＬＡＮ通信を行っている場合に、判定部１２において自装置が屋内に存在すると判定されたとする。この場合、周波数制御部１３は、２．４ＧＨｚ帯の電波の出力を停止し、５ＧＨｚ帯の電波を出力してもよい。
【００２２】
以上説明したように、図１の通信装置１０は、近距離無線通信を行うことによって、他の通信装置において管理されている情報を、取得することができる。そのため、通信装置１０は、自装置が屋内に存在するか屋外に存在するかを判定する際に用いる情報を取得するためにセンサ機能等を搭載する必要がない。そのため、通信装置１０は、センサ機能を搭載することによって軽量化、小型化が妨げられることはない。
【００２３】
また、通信装置１０は、他の通信装置から取得した情報を用いて、自装置が屋内に存在するか屋外に存在するかを判定し、使用する周波数帯を変更することができる。これによって、通信装置１０を操作するユーザが、意識的に周波数帯の変更を行うことなく、周波数制御部１３が、使用する周波数帯を自動的に設定することができる。
【００２４】
さらに、通信装置１０は、他の通信装置を近づけるもしくは接触させる等の簡易な操作を行うことによって、他の通信装置において管理されている情報を取得することができる。そのため、ユーザは、他の通信装置から通信装置１０へ情報を出力するための複雑な操作を行う必要がない。
【００２５】
（実施の形態２）
続いて、図２を用いて、本発明の実施の形態２にかかる通信システムの構成例について説明する。図２の通信システムは、スマートフォン２０、モバイルルータ３０及びアクセスポイント４０を有している。モバイルルータ３０は、図１の通信装置１０に相当する。スマートフォン２０は、実施の形態１において説明した他の通信装置に相当する。
【００２６】
モバイルルータ３０は、スマートフォン２０とＮＦＣ通信を行うことによって、スマートフォン２０が保持する情報を取得する。例えば、モバイルルータ３０は、スマートフォン２０と接触もしくはＮＦＣ通信ができる範囲までスマートフォン２０に近づくことによって、スマートフォン２０が保持する情報を取得することができる。
【００２７】
さらに、モバイルルータ３０は、アクセスポイント４０と無線ＬＡＮ通信を行う。モバイルルータ３０は、アクセスポイント４０と、５ＧＨｚ帯の周波数もしくは２．４ＧＨｚ帯の周波数を用いて無線ＬＡＮ通信を行う。モバイルルータ３０は、屋内において用いられている場合、屋内に配置されているアクセスポイント４０と、５ＧＨｚ帯の周波数もしくは２．４ＧＨｚ帯の周波数を用いて無線ＬＡＮ通信を行う。モバイルルータ３０は、屋外において用いられている場合、屋外に配置されているアクセスポイント４０と、２．４ＧＨｚ帯の周波数を用いて無線ＬＡＮ通信を行う。
【００２８】
続いて、図３を用いて本発明の実施の形態２にかかるスマートフォン２０の構成例について説明する。スマートフォン２０は、無線部２１、照度モニター部２２、情報管理部２３及びＮＦＣ機能部２４を有する。
【００２９】
無線部２１は、移動通信ネットワークにおいて予め定められている無線通信方式を用いて、基地局装置等と通信を行う。予め定められている無線通信方式は、例えば、３ＧＰＰ（3rd Generation Partnership Project）において定められているＬＴＥ（Long Term Evolution）等であってもよい。もしくは、無線部２１は、アクセスポイントと無線ＬＡＮ通信を行ってもよい。また、無線部２１は、天気情報を管理しているサーバと通信し、現在の天気情報を取得してもよい。無線部２１は、取得した天気情報を情報管理部２３へ出力する。
【００３０】
照度モニター部２２は、周囲の明るさを検知する。例えば、照度モニター部２２は、照度センサーであってもよい。照度モニター部２２は、照射される光量を検出する。照度モニター部２２は、スマートフォン２０の表面に配置されており、スマートフォン２０の周囲の明るさを検知する。照度モニター部２２は、検出した照度の値を情報管理部２３へ出力する。
【００３１】
情報管理部２３は、無線部２１から出力された天気情報及び照度モニター部２２から出力された照度情報を保持する。情報管理部２３は、スマートフォン２０が有するメモリ等であってもよい。また、情報管理部２３は、照度モニター部２２において照度を検出した時間と、その時の照度とを関連付けて管理してもよい。照度情報は、照度モニター部２２において検出した照度の値と、検出した時間とを含む情報であってもよい。
【００３２】
ＮＦＣ機能部２４は、情報管理部２３において保持されている天気情報及び照度情報を、ＮＦＣ通信を行うことによって、モバイルルータ３０へ送信する。ＮＦＣ機能部２４は、モバイルルータ３０におけるＮＦＣ機能部が、通信可能な位置まで近づいた場合に、モバイルルータ３０とＮＦＣ通信を行う。
【００３３】
続いて、図４を用いて本発明の実施の形態２にかかるモバイルルータ３０の構成例について説明する。モバイルルータ３０は、ＮＦＣ機能部３１、判定部３２、周波数制御部３３及び無線部３４を有する。ＮＦＣ機能部３１は、図１の通信部１１に相当する。判定部３２は、図１の判定部１２に相当する。周波数制御部３３は、図１の周波数制御部１３に相当する。
【００３４】
ＮＦＣ機能部３１は、スマートフォン２０とＮＦＣ通信を行うことによって、スマートフォン２０から送信される天気情報及び照度情報を受信する。ＮＦＣ機能部３１は、スマートフォン２０におけるＮＦＣ機能部２４が、通信可能な位置まで近づいた場合に、スマートフォン２０とＮＦＣ通信を行う。もしくは、スマートフォン２０におけるＮＦＣ通信のインタフェースとして用いられるＮＦＣ機能部２４と、モバイルルータ３０におけるＮＦＣ通信のインタフェースとして用いられるＮＦＣ機能部３１とが接触することによって、スマートフォン２０とモバイルルータ３０との間にてＮＦＣ通信が行われてもよい。ＮＦＣ機能部３１は、受信した天気情報及び照度情報を判定部３２へ出力する。
【００３５】
判定部３２は、ＮＦＣ機能部３１から出力された天気情報及び照度情報を用いてモバイルルータ３０が屋外に存在するか屋内に存在するかを判定する。以下に、判定部３２における判定方法について説明する。
【００３６】
例えば、判定部３２は、時間の経過とともに変化する照度の閾値を用いて、モバイルルータ３０が屋外に存在するか屋内に存在するかを判定してもよい。つまり、判定部３２は、現在の天気と、現在の時刻に合わせて照度の閾値を定めてもよい。例えば、判定部３２は、天気が晴れであり、昼間であれば屋外における照度は高いため、判定に用いる閾値を高く設定する。また、判定部３２は、天気が曇りもしくは雨であり、昼間であれば屋外における照度は低いため、判定に用いる閾値を、天気が晴れの場合よりも低く設定してもよい。また、夜であれば屋外における照度は低いため、判定に用いる閾値を低く設定してもよい。
【００３７】
判定部３２は、昼間に検出された照度情報を受け取った場合、受け取った照度が、昼間に用いる閾値よりも高い場合、モバイルルータ３０が屋外に存在すると判定してもよい。また、判定部３２は、夜に検出された照度情報を受け取った場合、受け取った照度が、夜に用いる閾値よりも低い場合、モバイルルータ３０が屋外に存在すると判定してもよい。判定に用いられる閾値は、任意のタイミングに変更されてもよく、例えば、１時間毎に変更されてもよい。また、判定方法についても任意のタイミングに変更されてもよい。例えば、午後２時においては、受け取った照度が、閾値よりも高い場合、モバイルルータ３０に存在すると判定し、午後７時においては、受け取った照度が閾値よりも高い場合、モバイルルータ３０が屋内に存在すると判定してもよい。
【００３８】
もしくは、判定部３２は、ＮＦＣ機能部３１から受け取った照度と、予め定められた照度の値との差異が、閾値を超えているか否かに応じて、モバイルルータ３０が屋外に存在するか屋内に存在するかを判定してもよい。つまり、昼間であっても夜であっても、屋内と屋外との照度の差として一定の値を有すると考えられるため、この一定の値を閾値とする。例えば、判定部３２は、ＮＦＣ機能部３１から受け取った照度と、予め定められた照度の値との差異が、閾値を超えている場合、モバイルルータ３０が屋外に存在すると判定してもよい。
【００３９】
無線部３４は、アクセスポイント４０と無線ＬＡＮ通信を行う。無線部３４は、５ＧＨｚ帯の周波数、もしくは、２．４ＧＨｚ帯の周波数を用いて無線ＬＡＮ通信を行う。
【００４０】
周波数制御部３３は、判定部３２における判定結果を用いて、無線部３４において使用する周波数帯を選択する。例えば、周波数制御部３３は、判定部３２からモバイルルータ３０が屋外に存在するとの判定結果を受け取った場合、無線部３４において２．４ＧＨｚ帯の周波数を用いて通信するよう制御する。また、周波数制御部３３は、判定部３２からモバイルルータ３０が屋内に存在するとの判定結果を受け取った場合、無線部３４において２．４ＧＨｚ帯もしくは５ＧＨｚ帯の周波数を用いて通信するよう制御する。例えば、周波数制御部３３は、５ＧＨｚ帯及び２．４ＧＨｚ帯の使用状況もしくは通信品質情報等を用いて、屋内における使用周波数帯を決定してもよい。
【００４１】
周波数制御部３３は、モバイルルータ３０が屋内に存在する場合、それぞれの周波数帯を使用している通信端末等の数が少ないほうの周波数帯を選択してもよい。もしくは、周波数制御部３３は、モバイルルータ３０が屋内に存在する場合、通信品質のよいほうの周波数帯を選択してもよい。通信品質は、例えば、ＳＮＲ等が用いられてもよい。もしくは、周波数制御部３３は、モバイルルータ３０が屋内に存在する場合、５ＧＨｚ帯の周波数を用いて通信することを予め定めていてもよい。
【００４２】
続いて、図５を用いて本発明の実施の形態２にかかるスマートフォン２０における照度情報の送信処理の流れについて説明する。はじめに、照度モニター部２２は、照度情報を検出する。さらに、無線部２１は、天気情報を管理するサーバから天気情報を取得する（Ｓ１１）。照度モニター部２２は、定期的に自律的に照度情報を検出してもよく、スマートフォン２０を操作するユーザから検出指示情報が入力された場合に、照度情報を検出してもよい。
【００４３】
次に、ＮＦＣ機能部２４は、ＮＦＣ通信を開始することができるか否かを判定する（Ｓ１２）。言い換えると、ＮＦＣ機能部２４は、ＮＦＣ通信を開始することができる環境であるか否かを判定する。ＮＦＣ通信を開始することができる環境とは、例えば、通信相手が、無線通信を行うことができる程度に近くに存在しているか否かを判定してもよい。
【００４４】
ＮＦＣ機能部２４は、ＮＦＣ通信を開始することができないと判定した場合、ステップＳ１２の処理を繰り返す。ＮＦＣ機能部２４は、ＮＦＣ通信を開始することができると判定した場合、情報管理部２３に保持されている照度情報をモバイルルータ３０へ送信する（Ｓ１３）。
【００４５】
続いて、図６を用いて本発明の実施の形態２にかかるモバイルルータ３０における周波数制御処理の流れについて説明する。はじめに、ＮＦＣ機能部３１は、スマートフォン２０から送信された照度情報及び天気情報を受信する（Ｓ２１）。次に、判定部３２は、スマートフォン２０から送信された時刻情報及び天気情報を用いて、モバイルルータ３０が屋外に存在するか屋内に存在するかを判定する閾値を設定する。次に、判定部３２は、ＮＦＣ機能部３１から出力された照度情報が、予め定められた閾値を超えているか否かを判定する（Ｓ２３）。周波数制御部３３は、判定部３２において、ＮＦＣ機能部３１から出力された照度情報が、予め定められた閾値を超えていると判定された場合、屋外にて使用可能な周波数を設定する（Ｓ２４）。周波数制御部３３は、判定部３２において、ＮＦＣ機能部３１から出力された照度情報が、予め定められた閾値を超えていないと判定された場合、屋内にて使用可能な周波数を設定する（Ｓ２５）。ここでは、照度情報が閾値を超えている場合にモバイルルータ３０が屋外に存在すると判定した例について説明したが、判定する時間帯に応じて、例えば、照度情報が閾値を超えている場合にモバイルルータ３０が屋内に存在すると判定してもよい。
【００４６】
以上説明したように、本発明の実施の形態２にかかる通信システムにおいて、モバイルルータ３０は、スマートフォン２０において検出された照度情報等を用いて、モバイルルータ３０が屋外に存在するか屋内に存在するかを判定することができる。そのため、モバイルルータ３０は、判定結果に応じて、無線ＬＡＮ通信において使用する周波数帯を自律的に制御することができる。
【００４７】
また、モバイルルータ３０は、モバイルルータ３０が屋外に存在するか屋内に存在するかを判定する際に用いる閾値を、天気情報及び時刻情報を用いて変更することができる。そのため、モバイルルータ３０は、周囲の天気及び現在時刻等を考慮して、モバイルルータ３０が屋外に存在するか屋内に存在するかを判定することができる。
【００４８】
また、上記の説明においては、モバイルルータ３０が、照度情報を用いてモバイルルータ３０が屋外に存在するか屋内に存在するかを判定しているが、その他の情報を用いて判定してもよい。例えば、スマートフォン２０において、温度情報を検出した場合、モバイルルータ３０は、温度情報を用いてモバイルルータ３０が屋外に存在するか屋内に存在するかを判定してもよい。モバイルルータ３０が、温度情報を用いた判定処理に使用する閾値は、例えば、夏と冬とにおいて変更してもよく、さらに、時間帯に応じて変更してもよい。
【００４９】
例えば、夏であれば、閾値に用いる値を高くして、検出された温度が閾値を超えている場合に、モバイルルータ３０が屋外に存在すると判定してもよい。さらに冬であれば、閾値に用いる値を低くして、検出された温度が閾値を下回る場合、モバイルルータ３０が屋外に存在すると判定してもよい。
【００５０】
さらに、モバイルルータ３０は、屋内と屋外との間に気温差があるため、検出された温度情報と、予め定められた値との差異が、閾値を超えた場合に、モバイルルータ３０が屋外に存在すると判定してもよい。
【００５１】
（実施の形態３）
続いて、図７を用いて本発明の実施の形態３にかかるモバイルルータ５０の構成例について説明する。モバイルルータ５０は、図４のモバイルルータ３０に、時間管理部５１を追加した構成である。ＮＦＣ機能部３１、判定部３２、周波数制御部３３及び無線部３４は、モバイルルータ３０と同様であるため詳細な説明を省略する。
【００５２】
モバイルルータ５０のＮＦＣ機能部３１は、スマートフォン２０から送信されたスマートフォン２０を操作するユーザのスケジュール情報を受信する。ＮＦＣ機能部３１は、受信したスケジュール情報を時間管理部５１へ出力する。
【００５３】
時間管理部５１は、現在時刻を管理している。判定部３２は、ＮＦＣ機能部３１からスケジュール情報を取得すると、時間管理部５１から現在時刻情報を収集する。判定部３２は、スケジュール情報の中から、現在時刻に対応するユーザの行動予定を特定する。判定部３２は、ユーザの行動予定が、屋内にいることを示す場合、モバイルルータ３０は屋内に存在すると判定する。判定部３２は、ユーザの行動予定が、屋外にいることを示す場合、モバイルルータ３０は、屋外に存在すると判定する。
【００５４】
続いて、図８を用いて本発明の実施の形態３にかかるスマートフォン２０におけるスケジュール情報の送信処理の流れについて説明する。はじめに、情報管理部２３は、スマートフォン２０に入力されているスケジュール情報を抽出する（Ｓ３１）。スケジュール情報は、情報管理部２３もしくは情報管理部２３とは異なる他のメモリ等に格納されていてもよい。スマートフォン２０を操作するユーザは、スマートフォン２０のタッチパネル等の入力手段を操作し、スケジュールを入力する。ステップＳ３２及びＳ３３は、図５のステップＳ１２及びＳ１３と同様であるため詳細な説明を省略する。
【００５５】
続いて、図９を用いて本発明の実施の形態３にかかるモバイルルータ５０における周波数制御処理の流れについて説明する。はじめに、ＮＦＣ機能部３１は、スマートフォン２０から送信されたスケジュール情報を受信する（Ｓ４１）。次に、判定部３２は、スケジュール情報に示されている現在時刻のユーザの行動予定を用いて、モバイルルータ５０が屋外に存在するか屋内に存在するかを判定する（Ｓ４２）。周波数制御部３３は、判定部３２において、モバイルルータ３０が屋外に存在すると判定された場合、屋外にて使用可能な周波数を設定する（Ｓ４３）。周波数制御部３３は、判定部３２において、モバイルルータ３０が屋内に存在すると判定された場合、屋内にて使用可能な周波数を設定する（Ｓ４４）。
【００５６】
以上説明したように、本発明の実施の形態３にかかるモバイルルータ５０は、ユーザのスケジュール情報を用いてモバイルルータ５０が屋外に存在するか屋内に存在するかを判定することができる。そのため、モバイルルータ５０は、判定結果に応じて、無線ＬＡＮ通信において使用する周波数帯を自律的に制御することができる。
【００５７】
上述の実施の形態では、本発明をハードウェアの構成として説明したが、本発明は、これに限定されるものではない。本発明は、図５、図６、図８及び図９における処理を、ＣＰＵ（Central Processing Unit）にコンピュータプログラムを実行させることにより実現することも可能である。）
【００５８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５９】
なお、本発明は上記実施の形態に限られたものではなく、趣旨を逸脱しない範囲で適宜変更することが可能である。
【００６０】
上記の実施形態の一部又は全部は、以下の付記のようにも記載されうるが、以下には限られない。
【００６１】
（付記１）他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得する通信部と、取得した前記検出情報及び前記スケジュール情報の少なくとも一方を用いて自装置が屋内に存在するかもしくは屋外に存在するかを判定する判定部と、前記判定部において自装置が屋外に存在すると判定された場合、屋内でのみ使用が許可されている周波数帯の電波の出力を停止する周波数制御部と、を備える通信装置。
（付記２）前記判定部は、前記検出情報と、予め定められた閾値とを比較した結果に応じて、自装置が屋内に存在するかもしくは屋外に存在するかを判定する、付記１に記載の通信装置。
（付記３）前記判定部は、前記検出情報である照度情報と、予め定められた閾値とを比較した結果に応じて、自装置が屋内に存在するかもしくは屋外に存在するかを判定する、付記１又は２に記載の通信装置。
（付記４）前記判定部は、前記照度情報と、時間の経過とともに変化する閾値とを比較した結果に応じて、自装置が屋内に存在するかもしくは屋外に存在するかを判定する、付記３に記載の通信装置。
（付記５）前記時間の経過とともに変化する閾値は、さらに天気情報に応じて変化する、付記４に記載の通信装置。
（付記６）前記判定部は、前記他の通信装置から近距離無線通信によって取得した前記スケジュール情報に示される現在時刻における前記ユーザの行動情報を用いて自装置が屋内に存在するか屋外に存在するかを判定する、付記１に記載の通信装置。
（付記７）前記通信部は、前記他の通信装置と接触した際に、前記他の通信装置から出力された前記検出情報及び前記スケジュール情報の少なくとも一方を取得する、付記１乃至６のいずれか１項に記載の通信装置。
（付記８）前記通信部は、ＮＦＣ通信を行うことによって、前記他の通信装置から出力された前記検出情報及び前記スケジュール情報の少なくとも一方を取得する、付記１乃至７のいずれか１項に記載の通信装置。
（付記９）屋内に存在するか屋外に存在するか否かに応じて変化する検出情報及びユーザのスケジュール情報の少なくとも一方を保持する第１の通信装置と、前記検出情報及び前記スケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定した場合、屋内でのみ使用が許可されている周波数帯の電波の出力を停止する第２の通信装置とを備える通信システム。
（付記１０）他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定された場合、屋内でのみ使用が許可されている周波数帯の電波の出力を停止する出力電波制御方法。
（付記１１）他の通信装置が屋内に存在するか屋外に存在するか否かに応じて変化する情報であって、他の通信装置において検出された検出情報及び前記他の通信装置において管理されているユーザのスケジュール情報の少なくとも一方を近距離無線通信によって取得し、取得した前記検出情報及び前記スケジュール情報の少なくとも一方を用いて自装置が屋内に存在するかもしくは屋外に存在するかを判定し、自装置が屋外に存在すると判定された場合、屋内でのみ使用が許可されている周波数帯の電波の出力を停止することをコンピュータに実行させるプログラム。
【符号の説明】
【００６２】
１０  通信装置
１１  通信部
１２  判定部
１３  周波数制御部
２０  スマートフォン
２１  無線部
２２  照度モニター部
２３  情報管理部
２４  ＮＦＣ機能部
３０  モバイルルータ
３１  ＮＦＣ機能部
３２  判定部
３３  周波数制御部
３４  無線部
４０  アクセスポイント
５０  モバイルルータ
５１  時間管理部
【図１】
2016025526.tif 000003
【図２】
2016025526.tif 000004
【図３】
2016025526.tif 000005
【図４】
2016025526.tif 000006
【図５】
2016025526.tif 000007
【図６】
2016025526.tif 000008
【図７】
2016025526.tif 000009
【図８】
2016025526.tif 000010
【図９】
2016025526.tif 000011